(57)【要約】【課題】毎秒３０フレームよりも高い高速画像を撮影可能であるとともに、高速画像を構成しているフレームのうち、毎秒３０フレームの画像を再生または表示可能な機器との互換性を容易に確保することができるカメラ装置を提供する。【解決手段】信号処理部４から出力される画像データが記録または再生される第１のメモリー７及び第２のメモリー８を備え、毎秒３０フレームよりも高いフレームレートの映像信号を撮影可能なカメラ装置であって、カメラ部３で毎秒３０フレームよりも高いフレームレートで撮影される時、第１のメモリー７には、画像データを構成しているフレームのうち毎秒３０フレームに相当するフレームが記録され、第２のメモリー８には、第１のメモリー７で記録されるフレーム以外のフレームが記録されるものである。【選択図】図１
2007104584.tif 000002
【特許請求の範囲】
【請求項１】
入射される光信号を電気信号に変換する撮像素子と、
前記撮像素子から出力される電気信号に基づき映像信号を生成し、生成した映像信号を画像圧縮して画像データを出力する信号処理部と、
前記信号処理部から出力される画像データが記録または再生される第１及び第２のメモリーとを備え、
毎秒３０フレームよりも高いフレームレートの映像信号を撮影可能なカメラ装置であって、
前記カメラ部で毎秒３０フレームよりも高いフレームレートで撮影される時、
前記第１のメモリーには、前記画像データを構成しているフレームのうち、毎秒３０フレームに相当するフレームが記録され、
前記第２のメモリーには、前記第１のメモリーで記録されるフレーム以外のフレームが記録されることを特徴とするカメラ装置。
【請求項２】
前記第２のメモリーは、複数のメモリーで構成され、画像データを前記複数のメモリーに分割して記録される請求項１記載のカメラ装置。
【請求項３】
前記第１のメモリーは、着脱可能な不揮発性メモリーで構成されている請求項１記載のカメラ装置。
【発明の詳細な説明】
【技術分野】
【０００１】
本発明は、高速撮影機能を有するカメラ装置に関するものである。
【背景技術】
【０００２】
国内において、一般的な動画を記録可能な撮影装置（ビデオカメラ）は、記録する映像信号はＮＴＳＣ方式に準拠する仕様であり、映像信号が記録される情報媒体は磁気テープあるいは光ディスクが一般的に普及されている。ＮＴＳＣ方式は、水平走査線５２５本、垂直同期周波数６０Ｈｚ、２：１インターレースの仕様である。すなわち、毎秒３０フレームの画像（フレーム）を記録していることになる。また、磁気テープに映像信号等をデジタル記録させる規格にＤＶ規格があり、光ディスクに映像信号等をデジタル記録させる規格にＤＶＤビデオ規格があることが、広く知られている。
【０００３】
一方、業務用ビデオカメラにおいて、毎秒３０フレームよりも高いフレームレートで構成される画像を出力する高速撮影カメラが存在している。高速撮影カメラは、上記のようにフレームレートを高めて動画を記録することで、高品位なスローモーション再生などが可能なカメラである。このようなカメラの用途は、スポーツ選手のフォーム分析や、車輌用エアバッグ等の研究開発、更には工場における工程監視などである。高速撮影カメラで記録可能な映像のフレーム数は、多いもので毎秒数百から数千フレームの撮影が可能である。高速撮影カメラ装置は、一般的にパソコンに接続し、撮影された映像をパソコンに搭載されているハードディスクなどの大容量ストレージ装置に、専用のフォーマットで保存するように構成されている（例えば、特許文献１参照）。
【特許文献１】特開平６−５４２８１号公報
【発明の開示】
【発明が解決しようとする課題】
【０００４】
しかしながら上記のような高速撮影カメラ装置は、パソコンに接続させる必要があるため、ユーザーは容易に携帯することができなかった。また、映像を専用のフォーマットでパソコンのハードディスク等に記録させているので、パソコン及びそれに接続されているディスプレイ以外の機器で画像を再生または表示させることが困難であり、互換性を容易に確保することができなかった。
【０００５】
本発明は、上記問題に鑑み、毎秒３０フレームよりも高いフレームレートの高速画像を撮影可能であるとともに、撮影された高速画像を構成しているフレームのうち、毎秒３０フレームに相当するフレームと、その他のフレームとを各々異なる情報媒体へ記録させることによって、毎秒３０フレームの画像を再生または表示可能な機器との互換性を容易に確保することができるカメラ装置を提供するものである。
【課題を解決するための手段】
【０００６】
このような課題を解決するために、入射される光信号を電気信号に変換する撮像素子と、前記撮像素子から出力される電気信号に基づき映像信号を生成し、生成した映像信号を画像圧縮して画像データを出力する信号処理部と、前記信号処理部から出力される画像データが記録または再生される第１及び第２のメモリーとを備え、毎秒３０フレームよりも高いフレームレートの映像信号を撮影可能なカメラ装置であって、前記カメラ部で毎秒３０フレームよりも高いフレームレートで撮影される時、前記第１のメモリーには、前記画像データを構成しているフレームのうち、毎秒３０フレームに相当するフレームが記録され、前記第２のメモリーには、前記第１のメモリーで記録されるフレーム以外のフレームが記録されるものである。
【発明の効果】
【０００７】
本発明は、カメラ装置において、高いフレームレートで撮影できる高速撮影機能を実現することができる。
【０００８】
また、高速撮影された画像を構成しているフレームのうち、一般的なテレビ信号と互換性のある毎秒３０フレームのフレームのみを抽出して、独立したメモリーに書き込むことができるので、毎秒３０フレームの画像を再生または表示可能な機器との互換性を容易に確保することができる。
【発明を実施するための最良の形態】
【０００９】
本発明のカメラ装置は、前記第２のメモリーは、複数のメモリーで構成され、画像データを前記複数のメモリーに分割して記録される構成としてもよい。
【００１０】
また、前記第１のメモリーは、着脱可能な不揮発性メモリーで構成してもよい。
【００１１】
（実施の形態１）
図１は本発明の実施の形態におけるカメラ装置のブロック図である。
【００１２】
図１において、カメラ部３は、レンズ１及び撮像素子２から構成される。撮像素子２は、レンズ１を介して入射される被写体からの反射光などを結像し、電気信号に変換して出力する。また、撮像素子２は、例えばＣＣＤイメージセンサーやＣＭＯＳイメージセンサーなどから構成される。
【００１３】
第１の信号処理回路４は、撮像素子２の出力信号に対してノイズ除去や画質調整などのカメラ信号処理や、レンズ１に対するズーム制御やフォーカス制御、撮像素子２の動作制御を行ったり、映像信号をデータ圧縮伸長処理を行ったりする。なお、第１の信号処理回路４から出力される映像信号を、「画像データ」と称する。画像データは、圧縮されている映像信号及び音声信号と、それらに付随する付加情報（撮影日時やビットレート情報等）とで構成される。
【００１４】
第１のメモリーインターフェース回路５は、第１の信号処理回路４から出力される画像データを第１のメモリー７に書き込むことができる。また、第１のメモリー７に記録されている画像データを再生させることもできる。
【００１５】
第１のメモリー７は、本カメラ装置に対して着脱自在な情報媒体から構成され、例えば、半導体メモリーが搭載されたメモリーカードや、記録型ＤＶＤなどのディスクや、磁気テープなどで構成される。なお、磁気テープは、ディスクなどのようにランダムアクセスができなかったり、データ読み出しが低速であるなどの理由から、高速撮影された映像信号の再生時においては使用しなくてもよい。
【００１６】
第２のメモリーインターフェース回路６は、第１の信号処理回路４から出力される画像データを第２のメモリー８〜第８のメモリー１４に書き込むことができる。また、第２のメモリー８〜第８のメモリー１４に記録されている画像データを読み出すこともできる。
【００１７】
第２のメモリー８〜第８のメモリー１４は、本装置に固定された情報媒体から構成され、例えば、不揮発性メモリーや揮発性メモリー等から構成される半導体メモリーや、ハードディスクなどで構成される。本実施の形態では、７個のメモリーで構成されているが、このメモリー数に限定されるものではなく、画質（フレームレート）やコストによって増減させて搭載してもよい。また、必ずしも固定型の情報媒体に限ることはなく、着脱形の情報媒体で構成してもよい。
【００１８】
第２の信号処理回路１５は、第１のメモリーインターフェース回路５によって第１のメモリー７から読み出された画像データと、第２のメモリーインターフェース回路６によって第２のメモリー８〜第８のメモリー１４から読み出された画像データとから、高フレームレートの映像信号を再生する。具体的には、各メモリーから読み出されたフレームを繋ぎ合わせて、一つの動画を生成する。
【００１９】
表示部１６は、第２の信号処理回路１５から出力される映像信号を表示可能であり、例えば２〜４インチ程度の液晶ディスプレイや、ユーザーが覗き込んで映像を視認可能な電子ビューファインダーで構成されるが、これらに限定されない。
【００２０】
以上のように構成された撮影装置について、動作を説明する。
【００２１】
まず、カメラ装置で被写体の映像を撮影する場合、被写体の反射光などの光学情報は、レンズ１を介して撮像素子２上に結像される。撮像素子２では、入射される光学情報が光電変換作用で電気情報に変換され、信号処理回路４に対して出力される。信号処理回路４では、映像信号の色温度を補正するホワイトバランス処理や、階調を補正するガンマ補正処理や、ノイズ軽減するＮＲ（ノイズリダクション）処理などのカメラ信号処理が行われるとともに、画像データの圧縮・伸長処理が行われる。
【００２２】
画像データに圧縮・伸長処理が必要な理由は、映像信号を情報媒体に問題なく記録させるためである。すなわち、ＮＴＳＣ方式のアナログ映像信号をデジタル信号に変換した時の画像データは、データ量が大きく、約２０Ｍバイト／秒にも及ぶ。このような大容量データを、圧縮せずに情報媒体へ記録させると、情報媒体の容量制限が原因で記録時間が短くなってしまう可能性がある。また、記録させようとしている画像データにおける映像のフレームレートが、情報媒体の書き込みレートよりも高い場合、映像信号においてフレーム欠落（フレーム落ち）が発生してしまう可能性がある。
【００２３】
圧縮処理された画像データは、第１のメモリーインターフェース回路５および第２のメモリーインターフェース回路６を夫々介して、第１のメモリー７〜第８のメモリー１４に書き込まれる。具体的な書き込み動作については後述する。
【００２４】
本実施の形態では、第１のメモリー７はメモリーカードのようなリムーバブルの不揮発性メモリーで構成されている。第２のメモリー８〜第８のメモリー１４は、不揮発性メモリーである必要はないが、不揮発性メモリーで構成しても本実施の形態の効果を妨げるものではない。
【００２５】
次に、第１のメモリー７〜第８のメモリー１４に対する画像データの書き込み動作について説明する。
【００２６】
図２はメモリーへ画像データが書き込まれる様子を説明するタイミング図である。図２において、（ａ）は一般的な映像信号であり、フレームの周期は１／３０秒である。（ｂ）は高速撮影された画像信号を示し、フレーム周期が（ａ）の１／８の１／２４０秒である。なお、１／２４０に設定されているのは一例であって、他の数値であってもよい。（ｃ）は第１のメモリー７に記録される画像信号を示す。（ｄ）〜（ｊ）は第２のメモリー８〜第８のメモリー１４へ書き込まれる画像データを示す。横軸は時間である。
【００２７】
本実施の形態では、図１に示すようにメモリーを８個備えており、入力される２４０フレーム／秒の高速撮影画像データ（図２（ｂ））を、図２（ｃ）〜（ｊ）に示すように３０フレーム／秒の画像データに分割して、夫々異なるメモリーに記録させている。すなわち、（ｂ）に示す高速撮影画像データの各フレームを、前から順番に、第１のメモリー８〜第８のメモリー１４へ書き込むのである。したがって、各メモリーに記録されるフレームは、各メモリー間においては（ｃ）〜（ｊ）に示すように１フレームづつずらして書き込まれるが、各メモリー内においては毎秒３０フレーム周期の画像データが記録されている。
【００２８】
このように記録させることによって、第１のメモリー７には、図２（ｃ）に示すように通常の３０フレーム／秒の画像データを記録させることができる。よって、本装置を他の機器（例えばテレビジョン受像機）に外部接続して、画像データを再生する際、第１のメモリー７から出力される画像データに基づいて再生することができ、互換性を保つことができる。第１のメモリー７から読み出された画像データは、第１のメモリーインターフェース回路５を介して、第２の信号処理回路１５へ入力される。第２の信号処理回路１５は、入力される画像データから動画（映像信号および音声信号）を復元し、表示部１６に表示させる。
【００２９】
また、第１のメモリー７は、本装置に対して着脱自在なメモリーなので、第１のメモリー７を本装置から取り外し、第１のメモリー７を着脱可能な他機器に装着させて画像データを再生することも可能である。
【００３０】
また、高速再生する場合は、第２のメモリーインターフェース回路６で、第１のメモリー７〜第８のメモリー１４から順番（記録された順番）に画像データを読み出し、第２の信号処理回路１５へ出力する。第２の信号処理回路１５は、入力される画像データを時系列に並べて一つの動画を生成し、表示部１６に表示させる。
【００３１】
画像データの圧縮形式としては標準規格のＭｏｔｉｏｎ−ＪＰＧ（ＡＶＩ）やＭＰＥＧ方式などを使うことができる。なお、第２のメモリー８〜第８のメモリー１４に記録される画像データは、他機器との間で互換性を保たせる必要はないので、上記のような標準規格を使う必然性は有していない。また、第１のメモリー７を除くメモリーを７つに備えている理由は、各メモリーへのデータ書込み速度を軽減させるためである。
【００３２】
（実施の形態２）
図３は、第１のメモリー７の他に２つのメモリー（例えば、図１における第２のメモリー８及び第３のメモリー９）を備えたカメラ装置における、画像データの記録及び再生動作を示すタイミングチャートである。
【００３３】
図３において、（ａ）は一般的な映像信号であり、フレームの周期は１／３０秒である。（ｂ）は高速撮影された画像データの一例であり、フレーム周期が通常の１／８の１／２４０秒である。（ｃ）は第１のメモリー７に記録される画像データを示す。（ｄ）、（ｅ）は第２のメモリー８及び第３のメモリー９に記録される画像データを示す。
【００３４】
上記構成において、第１のメモリー７には、（ｃ）に示すような一般的な映像信号（１／３０秒のフレーム周期）が記録されている。また、第２のメモリー８及び第３のメモリー９には、（ｄ）及び（ｅ）に示すようにそれぞれ１／１２０秒のフレーム周期を有する画像データが記録される。なお、（ｄ）に示す画像データにおける各フレームと、（ｅ）に示す画像データにおける各フレームとは、互いに１／２４０秒の位相差がある。すなわち、（ｂ）に示す画像データを、１フレームづつ交互に第２のメモリー８と第３のメモリー９とに書き込んでいる。
【００３５】
上記のように記録された画像データにおいて、第１のメモリー７から（ｃ）に示す画像データを読み出して、１／３０秒のフレーム周期を有する映像信号を再生することができる。また、第２のメモリー８及び第３のメモリー９から（ｄ）及び（ｅ）に示す画像データを読み出し、各フレームを繋ぎ合わせることで、（ｂ）に示すような１／２４０秒のフレーム周期を有する映像信号を再生することができる。
【００３６】
本実施の形態によれば、少ないメモリー数で画像データの記録再生を実現することができる。
【００３７】
（実施の形態３）
図４は、第１のメモリー７の他に２つのメモリー（例えば、図１における第２のメモリー８及び第３のメモリー９）を備えたカメラ装置における、画像データの記録及び再生動作を示すタイミングチャートである。
【００３８】
図４において、（ａ）は一般的な映像信号であり、フレームの周期は１／３０秒である。（ｂ）は高速撮影された画像データの一例であり、フレーム周期が通常の１／８の１／２４０秒である。（ｃ）は第１のメモリー７に記録される画像データを示し、１／３０秒のフレーム周期を有する。（ｄ）、（ｅ）は第２のメモリー８及び第３のメモリー９に記録される画像データを示す。図４において、図３の動作と異なる点は、図３は１フレームづつ記録させているのに対し、図４は２フレームづつ記録させている点である。すなわち、（ｂ）に示す画像データにおける１／２４０秒のフレーム周期を有する８枚のフレームにおいて、最初の２枚のフレームを第２のメモリー８へ記録させ、次の２枚のフレームを第３のメモリー９へ記録させ、次の２枚のフレームを第２のメモリー９へ記録させ、最後の２枚のフレームを第３のメモリー１０へ記録させている。
【００３９】
図４において、各メモリーに対する画像データの記録及び再生動作、再生された画像データに基づいて映像信号を生成する動作は、図３における動作とほぼ同一であるため、説明は省略する。
【００４０】
本実施の形態によれば、少ないメモリー数で画像データの記録再生を実現することができる。
【００４１】
（実施の形態４）
図５は、第１のメモリー７の他に２つのメモリー（例えば、図１における第２のメモリー８及び第３のメモリー９）を備えたカメラ装置における、画像データの記録及び再生動作を示すタイミングチャートである。
【００４２】
図５において、（ａ）は一般的な映像信号であり、フレームの周期は１／３０秒である。（ｂ）は高速撮影された画像データの一例であり、フレーム周期が通常の１／８の１／２４０秒である。（ｃ）は第１のメモリー７に記録される画像データを示し、１／３０秒のフレーム周期を有する。（ｄ）、（ｅ）は第２のメモリー８及び第３のメモリー９に記録される画像データを示す。
【００４３】
図５において、図３の動作と異なる点は、図３は１フレームづつ記録させているのに対し、図５は４フレームづつ記録させている点である。すなわち、（ｂ）に示す画像データにおける１／２４０秒のフレーム周期を有する８枚のフレームにおいて、最初の４枚のフレームを第２のメモリー８へ記録させ、次の４枚のフレームを第３のメモリー９へ記録させている。
【００４４】
図５において、各メモリーに対する画像データの記録及び再生動作、再生された画像データに基づいて映像信号を生成する動作は、図３における動作とほぼ同一であるため、説明は省略する。
【００４５】
本実施の形態によれば、少ないメモリー数で画像データの記録再生を実現することができる。
【００４６】
（実施の形態５）
図６は、第１のメモリー７の他に４つのメモリー（例えば、図１における第２のメモリー８〜第５のメモリー１１）を備えたカメラ装置における、画像データの記録及び再生動作を示すタイミングチャートである。
【００４７】
図６において、（ａ）は一般的な映像信号であり、フレームの周期は１／３０秒である。（ｂ）は高速撮影された画像データの一例であり、フレーム周期が通常の１／８の１／２４０秒である。（ｃ）は第１のメモリー７に記録される画像データを示し、１／３０秒のフレーム周期を有する。（ｄ）〜（ｇ）は第２のメモリー８〜第５のメモリー１０に記録される画像データを示す。
【００４８】
図６において、図３の動作と異なる点は、図３は２つのメモリーに１フレームづつ記録させているのに対し、図６は４つのメモリーに２フレームづつ記録させている点である。すなわち、（ｂ）に示す画像データにおける１／２４０秒のフレーム周期を有する８枚のフレームにおいて、最初の２枚のフレームを第２のメモリー８へ記録させ、次の２枚のフレームを第３のメモリー９へ記録させ、次の２枚のフレームを第４のメモリー１０へ記録させ、最後の２枚のフレームを第４のメモリー１１へ記録させている。
【００４９】
図６において、各メモリーに対する画像データの記録及び再生動作、再生された画像データに基づいて映像信号を生成する動作は、図３における動作とほぼ同一であるため、説明は省略する。
【００５０】
本実施の形態によれば、メモリーを多く搭載しているため、各メモリーの書き込み速度が遅い場合でも、コマ落ちさせることなく、画像データを記録再生させることができる。
【００５１】
（実施の形態６）
図７は、第１のメモリー７の他に４つのメモリー（例えば、図１における第２のメモリー８〜第５のメモリー１１）を備えたカメラ装置における、画像データの記録及び再生動作を示すタイミングチャートである。
【００５２】
図７において、（ａ）は一般的な映像信号であり、フレームの周期は１／３０秒である。（ｂ）は高速撮影された画像データの一例であり、フレーム周期が通常の１／８の１／２４０秒である。（ｃ）は第１のメモリー７に記録される画像データを示し、１／３０秒のフレーム周期を有する。（ｄ）〜（ｇ）は第２のメモリー８〜第５のメモリー１０に記録される画像データを示す。
【００５３】
図７において、図６に示す動作と異なる点は、図６は各メモリーに２フレームづつ記録させているのに対し、図７は各メモリーに１フレームづつ記録させている点である。すなわち、（ｂ）に示す画像データにおける１／２４０秒のフレーム周期を有する８枚のフレームにおいて、最初のフレームを第１のメモリー７及び第２のメモリー８へ記録させ、２番目のフレームを第３のメモリー９へ記録させ、３番目のフレームを第４のメモリー１０へ記録させ、４番目のフレームを第４のメモリー１１へ記録させている。また、５番目のフレームを第２のメモリー８へ記録させ、６番目のフレームを第３のメモリー９へ記録させ、７番目のフレームを第４のメモリー１０へ記録させ、８番目のフレームを第４のメモリー１１へ記録させている。
【００５４】
図７において、各メモリーに対する画像データの記録及び再生動作、再生された画像データに基づいて映像信号を生成する動作は、図６における動作とほぼ同一であるため、説明は省略する。
【００５５】
本実施の形態によれば、メモリーを多く搭載しているため、各メモリーの書き込み速度が遅い場合でも、コマ落ちさせることなく、画像データを記録再生させることができる。
【００５６】
（実施の形態７）
図８は、第１のメモリー７の他に１つのメモリー（例えば、図１における第２のメモリー８）を備えたカメラ装置における、画像データの記録及び再生動作を示すタイミングチャートである。
【００５７】
図８において、（ａ）は一般的な映像信号であり、フレームの周期は１／３０秒である。（ｂ）は高速撮影された画像データの一例であり、フレーム周期が通常の１／８の１／２４０秒である。（ｃ）は第１のメモリー７に記録される画像データを示し、１／３０秒のフレーム周期を有する。（ｄ）は第２のメモリー８に記録される画像データを示す。
【００５８】
図８において、撮影された画像データは、（ｂ）に示すように１／２４０秒のフレーム周期を有する８枚のフレームにおいて、最初のフレームを第１のメモリー７へ記録させ、２番目〜８番目のフレームを第２のメモリー８へ記録させている。
【００５９】
図８において、各メモリーに対する画像データの記録及び再生動作、再生された画像データに基づいて映像信号を生成する動作は、図２における動作とほぼ同一であるため、説明は省略する。
【００６０】
本実施の形態によれば、少ないメモリー数で画像データの記録再生を実現することができる。
【００６１】
（実施の形態８）
図９は、第１のメモリー７の他に２つのメモリー（例えば、図１における第２のメモリー８〜第５のメモリー１１）を備えたカメラ装置における、画像データの記録及び再生動作を示すタイミングチャートである。
【００６２】
図９において、（ａ）は一般的な映像信号であり、フレームの周期は１／３０秒である。（ｂ）は高速撮影された画像データの一例であり、フレーム周期が通常の１／８の１／２４０秒である。（ｃ）は第１のメモリー７に記録される画像データを示し、１／３０秒のフレーム周期を有する。（ｄ）及び（ｅ）は第２のメモリー８及び第３のメモリー９に記録される画像データを示す。
【００６３】
図９において、撮影された画像データは、（ｂ）に示すように１／２４０秒のフレーム周期を有する８枚のフレームにおいて、最初のフレームを第１のメモリー７へ記録させ、２番目〜４番目のフレームを第２のメモリー８へ記録させ、５番目〜８番目のフレームを第３のメモリー９へ記録させている。
【００６４】
図９において、各メモリーに対する画像データの記録及び再生動作、再生された画像データに基づいて映像信号を生成する動作は、図２における動作とほぼ同一であるため、説明は省略する。
【００６５】
本実施の形態によれば、少ないメモリー数で画像データの記録再生を実現することができる。
【００６６】
（実施の形態９）
次に、２：１インターレース信号で構成されている画像データの記録及び再生動作について説明する。
【００６７】
２：１インターレース信号とは、図１２に示すように、フレームの画像３１を、奇数番目の走査線で構成される奇数フィールド３２と、偶数番目の走査線で構成される偶数フィールド３３とに分割し、奇数フィールド３２と偶数フィールド３３とを交互に出力させるものである。図１２の場合、フレーム周期は１／３０秒、フィールド周期は１／６０秒、フレームの走査線数は４８０本、フィールドの走査線数は２４０本となる。このように、高速撮影されたインターレース信号をメモリーに記録する場合の動作タイミングを図１０に示す。
【００６８】
図１０において、（ａ）は一般的なインターレース信号で構成されている画像データを示し、フレーム周期が１／３０秒、フィールド周期が１／６０秒である。（ｂ）は高速撮影されたインターレース信号の画像データを示し、フレーム周期が１／２４０秒、フィールド周期が１／４８０秒である。（ｂ）において、奇数フィールドを先頭にして、奇数フィールドと偶数フィールドが交互に並んでいる。（ｃ）は第１のメモリー７に記録される画像データを示す。（ｄ）は第２のメモリー８に記録される画像データを示す。図１０において、奇数フィールドはハッチングを付与して図示し、偶数フィールドはハッチングを付与せず図示している。
【００６９】
なお、図１０において、第１のメモリー７へ書き込む画像データの奇数フィールドと偶数フィールドの順序を守るために、（ｃ）に示すように奇数フィールドと偶数フィールドとの書き込みタイミングが均等周期ではない。但し、奇数フィールド同士、偶数フィールド同士は、それぞれ均等周期で書き込まれる。
【００７０】
図１０において、（ｂ）に示すように、高速撮影された画像データは、先頭の奇数フィールド画像を第１のメモリー７へ書きこみ、先頭の偶数フィールドから５番目の奇数フィールドまでの画像データを第２のメモリー８へ書きこむ。次に、５番目の偶数フィールド画像を第１のメモリー７へ書きこみ、６番目の奇数フィールドから８番目の偶数フィールドまでの画像データを第２のメモリー８へ書きこむ。これにより、（ａ）の１フレーム周期期間に相当する、（ｂ）における１６枚のフィールド画像のうち、第１のメモリー７には奇数フィールド画像と偶数フィールド画像を１枚づつ記録させることができ、第２のメモリー８には残りの１４枚の画像データを記録させることができる。
【００７１】
本実施の形態によれば、少ないメモリー数で画像データの記録再生を実現することができる。
【００７２】
（実施の形態１０）
図１１において、（ａ）は一般的なインターレース信号で構成されている画像データを示し、フレーム周期が１／３０秒、フィールド周期が１／６０秒である。（ｂ）は高速撮影されたインターレース信号の画像データを示し、フレーム周期が１／２４０秒、フィールド周期が１／４８０秒である。（ｂ）において、奇数フィールドを先頭にして、奇数フィールドと偶数フィールドが交互に並んでいる。（ｃ）は第１のメモリー７に記録される画像データを示す。（ｄ）は第２のメモリー８に記録される画像データを示す。図１１において、奇数フィールドはハッチングを付与して図示し、偶数フィールドはハッチングを付与せず図示している。
【００７３】
図１１において、（ｂ）に示すように、高速撮影された画像データは、先頭の奇数フィールド及び偶数フィールドの画像データを第１のメモリー７へ書きこみ、２番目の奇数及び偶数フィールドから８番目の奇数及び偶数フィールドまでの画像データを第２のメモリー８へ書きこむ。
【００７４】
これにより、（ａ）の１フレーム周期期間に相当する、（ｂ）における１６枚のフィールド画像のうち、第１のメモリー７には奇数フィールド画像と偶数フィールド画像を１枚づつ記録させることができ、第２のメモリー８には残りの１４枚の画像データを記録させることができる。
【００７５】
本実施の形態によれば、少ないメモリー数で画像データの記録再生を実現することができる。
【００７６】
以上のように本実施の形態によれば、第１のメモリー７には、一般的な画像データである１／３０秒のフレーム周期を有する画像データが記録され、テレビジョン受像機など、異なる表示機器との互換性を保つことができる。
【００７７】
本発明では高速撮影された画像データを複数のメモリーに分割記録し、さらに第１のメモリーをリムーバブルの不揮発性メモリーで構成するとともに第１のメモリーには一般的な画像データのフレーム周期で記録することにより、高速撮影ができると同時に他の機器との良好な互換性を保つことのでできる高速撮影カメラ装置を提供することができる。
【産業上の利用可能性】
【００７８】
本発明は、スポーツのフォーム分析などに利用することができる高速撮影機能を、携帯可能な撮影機器に搭載するものであり、ビデオカメラ、デジタルスチルカメラ、カメラ付き携帯電話機などにおいて有用である。
【図面の簡単な説明】
【００７９】
【図１】本発明の実施の形態１におけるカメラ装置の構成を示すブロック図
【図２】実施の形態１における動作を示すタイミング図
【図３】実施の形態２の動作を示すタイミング図
【図４】実施の形態３の動作を示すタイミング図
【図５】実施の形態４の動作を示すタイミング図
【図６】実施の形態５の動作を示すタイミング図
【図７】実施の形態６の動作を示すタイミング図
【図８】実施の形態７の動作を示すタイミング図
【図９】実施の形態８の動作を示すタイミング図
【図１０】実施の形態９の動作を示すタイミング図
【図１１】実施の形態１０の動作を示すタイミング図
【符号の説明】
【００８０】
１  レンズ
２  撮像素子
３  カメラ部
４  信号処理回路
５  第１のメモリーインターフェース回路
６  第２のメモリーインターフェース回路
７  第１のメモリー
８  第２のメモリー
９  第３のメモリー
１０  第４のメモリー
１１  第５のメモリー
１２  第６のメモリー
１３  第７のメモリー
１４  第８のメモリー
【図１】
2007104584.tif 000003
【図２】
2007104584.tif 000004
【図３】
2007104584.tif 000005
【図４】
2007104584.tif 000006
【図５】
2007104584.tif 000007
【図６】
2007104584.tif 000008
【図７】
2007104584.tif 000009
【図８】
2007104584.tif 000010
【図９】
2007104584.tif 000011
【図１０】
2007104584.tif 000012
【図１１】
2007104584.tif 000013